【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
複数の充電可能な電池セルを、その延長方向に直列に接続した電池モジュールを、複数本平行に配置した組電池と、
前記組電池を収納する平板状の電池ボックスと、
前記組電池を充電する電力を発生可能な、複数の太陽電池セルを備える太陽電池パネルと、
を備え、
太陽光を前記太陽電池パネルに照射させて発電させるように設置され、
前記太陽電池パネルの背面に、前記電池ボックスが配置されると共に、
前記太陽電池パネルと前記組電池との距離が略一定となるように、両者が略平行に配置され、
かつ、前記組電池の電池モジュールが非水平姿勢に保持されてなる
前記太陽電池パネルを上面に固定し、前記電池ボックスを下面に固定するための平板であるベース部を備え、
前記電池ボックスを、前記ベース部の背面に着脱自在に取り付けるための固定機構を設けてなり、
前記太陽電池パネルを傾斜姿勢で固定するための支柱を備えている
ことを特徴とする太陽電池電源装置。
【請求項２】
請求項１に記載の太陽電池電源装置であって、さらに、
前記電池ボックスが、前記太陽電池パネルの背面において、前記支柱を固定した位置よりも上方に固定されてなることを特徴とする太陽電池電源装置。
【請求項３】
請求項１又は２に記載の太陽電池電源装置であって、
前記電池ボックス内に配置された組電池は、厚さ方向に２列以下で配置されてなることを特徴とする太陽電池電源装置。
【請求項４】
請求項１に記載の太陽電池電源装置であって、
前記固定機構が、前記電池ボックスの上面に固定された断面視コ字状のコ字状片と、該
コ字状片を係止可能な大きさに前記ベース部の裏面に開口されたコ字状片係止口とで構成され、
前記固定機構によって前記電池ボックスは前記ベース部に着脱式に固定されてなることを特徴とする太陽電池電源装置。
【請求項５】
請求項１又は６に記載の太陽電池電源装置であって、
前記固定機構が、係止突起に係止環を挿入する懸吊式と、
前記ベース部の背面に挿入されたねじを、スリットを開口した固定金具に通して固定するものであり、
前記電池ボックスの四隅近傍に固定された固定機構によって着脱式に前記ベース部に固定されてなることを特徴とする太陽電池電源装置。
【請求項６】
請求項４から７のいずれか一に記載の太陽電池電源装置であって、さらに、
前記電池ボックスを前記太陽電池パネルの背面に固定した状態で、該電池ボックスを被覆する電池カバーを備えてなることを特徴とする太陽電池電源装置。
【請求項７】
請求項１から６のいずれか一に記載の太陽電池電源装置であって、
前記電池ボックスが、熱伝導性に優れた金属製で構成されてなることを特徴とする太陽電池電源装置。
【請求項８】
請求項１から７のいずれか一に記載の太陽電池電源装置であって、
前記太陽電池パネルの設置角度を、太陽電池電源装置の設置場所における年間発電量が最大となる設置角度よりも大きい角度に設定してなることを特徴とする太陽電池電源装置。
【請求項９】
請求項１から８のいずれか一に記載の太陽電池電源装置であって、さらに、
前記太陽電池パネルで発電された電力で前記組電池を充電する充電電流又は充電電圧を制御するための充放電制御部を備えてなることを特徴とする太陽電池電源装置。
【請求項１０】
請求項１から９のいずれか一に記載の太陽電池電源装置であって、さらに、
前記組電池で駆動される照明手段を備えてなることを特徴とする太陽電池電源装置。
【請求項１１】
請求項１０に記載の太陽電池電源装置であって、
前記照明手段が発光ダイオードで構成されてなることを特徴とする太陽電池電源装置。
【請求項１２】
請求項１１に記載の太陽電池電源装置であって、
前記照明手段が街路灯であることを特徴とする太陽電池電源装置。
【請求項１３】
請求項１から１２のいずれか一に記載の太陽電池電源装置であって、
前記電池セルへの充電電圧を、該電池セルの特性上満充電と判定されるべき電圧よりも低い電圧に設定してなることを特徴とする太陽電池電源装置。
【請求項１４】
請求項１から１３のいずれか一に記載の太陽電池電源装置であって、
前記電池セルがリチウムイオン二次電池であることを特徴とする太陽電池電源装置。
【請求項１５】
請求項１から１４のいずれか一に記載の太陽電池電源装置であって、
前記組電池の定格電圧が、前記太陽電池パネルの２５℃における最大出力動作電圧の０．７〜０．９倍であることを特徴とする太陽電池電源装置。
【請求項１６】
請求項１から１５のいずれか一に記載の太陽電池電源装置であって、
前記電池セルの充電可能温度領域が、放電可能温度領域と異なるように設定し、該放電可能領域は該充電可能領域よりも低温側に拡大してなることを特徴とする太陽電池電源装置。
【請求項１７】
請求項１から１６のいずれか一に記載の太陽電池電源装置であって、
前記電池セルが、外形を円筒形とすることを特徴とする太陽電池電源装置。
【請求項１８】
請求項１に記載の太陽電池電源装置であって、
前記支柱を中心として左右に、前記電池ボックスを配置したことを特徴とする太陽電池電源装置。
【請求項１９】
請求項１に記載の太陽電池電源装置であって、
前記支柱を中心として上下に、前記電池ボックスを配置したことを特徴とする太陽電池電源装置。
【手続補正２】
【補正対象書類名】明細書
【補正対象項目名】００１０
【補正方法】変更
【補正の内容】
【００１０】
上記目的を達成するために、本発明の第１の太陽電池電源装置によれば、複数の充電可能な電池セルを、その延長方向に直列に接続した電池モジュールを、複数本平行に配置した組電池と、前記組電池を収納する平板状の電池ボックスと、前記組電池を充電する電力を発生可能な、複数の太陽電池セルを備える太陽電池パネルと、を備え、太陽光を前記太陽電池パネルに照射させて発電させるように設置され、前記太陽電池パネルの背面に、前記電池ボックスが配置されると共に、前記太陽電池パネルと前記組電池との距離が略一定となるように、両者が略平行に配置され、かつ、前記組電池の電池モジュールを非水平姿勢に保持することができる。これにより、太陽電池パネルを発電手段とし、組電池を蓄電手段とした、外部電源が不要な電源装置を実現すると共に、太陽電池パネルと電池ボックスとを平行に並べることで、板状にスリム化した太陽電池電源装置を得ることができる。よって、風の影響を低減することができると共に、デザイン的にもシンプルな形状となる。 
【手続補正３】
【補正対象書類名】明細書
【補正対象項目名】００１５
【補正方法】変更
【補正の内容】
【００１５】
さらにまた第４の太陽電池電源装置によれば、さらに前記太陽電池パネルを上面に固定し、前記電池ボックスを下面に固定するための平板であるベース部を備えることができる。これにより、ベース部で太陽電池パネルを背面から支持しつつ、電池ボックスをベース部に固定することができ、これら設置や接続構造をベース部に担わせて簡素化を図ることができる。
【手続補正４】
【補正対象書類名】明細書
【補正対象項目名】００１８
【補正方法】変更
【補正の内容】
【００１８】
さらにまた第７の太陽電池電源装置によれば、前記固定機構が、係止突起に係止環を挿入する懸吊式と、前記ベース部の背面に挿入されたねじを、スリットを開口した固定金具に通して固定するものであり、前記電池ボックスの四隅近傍に固定された固定機構によって着脱式に前記ベース部に固定することができる。これにより、簡単な機構によって電池ボックスを太陽電池パネルの背面に着脱でき、設置時のみならず、取替え等のメンテナンス時にも有利となり、作業者の安全性向上に貢献できる。
【手続補正５】
【補正対象書類名】明細書
【補正対象項目名】００３０
【補正方法】変更
【補正の内容】
【００３０】
さらにまた第１９の太陽電池電源装置によれば、前記電池セルの外形を円筒形とすることができる。
また、前記支柱を中心として左右に、前記電池ボックスを配置している。
更に、前記支柱を中心として上下に、前記電池ボックスを配置している。